【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
被検眼の移動に関する情報を検知する検知手段と、
前記被検眼を撮影する撮影領域が所定の範囲を超えるか否かを、前記検知された情報を用いて判定する判定手段と、
（ａ）前記撮影領域が前記所定の範囲を超えないと判定された場合には、前記検知された情報を用いて前記撮影領域の追従を行い、且つ、前記撮影領域が前記所定の範囲を超えると判定された場合には、前記撮影領域の追従を行わない第１のモードと、（ｂ）前記判定手段による判定を行わずに、または前記判定手段による判定結果によらずに、前記検知された情報を用いて前記撮影領域の追従を行う第２のモードと、を含む複数のモードのいずれかを選択する選択手段と、
を有することを特徴とする眼科撮影装置。
【請求項２】
前記被検眼の断層画像を撮影するためのＯＣＴ光学系と前記被検眼の正面画像を撮影するための光学系とが一部共通な光学系として構成され、
前記検知手段は、前記正面画像を用いて前記移動に関する情報を検知し、
前記撮影領域は、前記断層画像の撮影領域であり、
前記撮影領域の追従は、前記検知された情報を用いて前記ＯＣＴ光学系の走査手段を制御することにより実行されることを特徴とする請求項１に記載の眼科撮影装置。
【請求項３】
前記第２のモードが選択された場合には、前記ＯＣＴ光学系の光学特性に対応する前記被検眼の撮影が保証される範囲まで前記撮影領域の追従が可能であることを特徴とする請求項１または２に記載の眼科撮影装置。
【請求項４】
被検眼の移動に関する情報を検知する検知手段と、
第１のモードと前記第１のモードとは異なる第２のモードとを含む複数のモードのいずれかを選択する選択手段と、
（ａ）前記第１のモードが選択された場合には、前記被検眼を撮影する撮影領域が第１の範囲を超えるか否かを前記検知された情報を用いて判定し、（ｂ）前記第２のモードが選択された場合には、前記被検眼を撮影する撮影領域が前記第１の範囲よりも広い第２の範囲を超えるか否かを前記検知された情報を用いて判定する判定手段と、
を有することを特徴とする眼科撮影装置。
【請求項５】
（ａ）前記撮影領域が前記第１の範囲を超えないと判定された場合には前記撮影領域の追従を実行し、且つ、前記撮影領域が前記第１の範囲を超えると判定された場合には前記撮影領域の追従を実行しない第１の制御を実行し、（ｂ）前記撮影領域が前記第２の範囲を超えないと判定された場合には前記撮影領域の追従を実行し、且つ、前記撮影領域が前記第２の範囲を超えると判定された場合には前記撮影領域の追従を実行しない第２の制御を実行する制御手段を更に有することを特徴とする請求項４に記載の眼科撮影装置。
【請求項６】
前記第２のモードは、フォローアップ撮影モードであり、
前記第１のモードは、前記フォローアップ撮影モードの他の撮影モードであることを特徴とする請求項１乃至５のいずれか１項に記載の眼科撮影装置。
【請求項７】
前記第１のモードにおいて前記被検眼の撮影の指示が実行された場合には、前記判定手段による判定を行わずに、または前記判定手段による判定結果によらずに、前記撮影領域の追従が実行されることを特徴とする請求項１乃至６のいずれか１項に記載の眼科撮影装置。
【請求項８】
被検眼の移動に関する情報を検知する検知手段と、
前記被検眼を撮影する撮影領域が所定の範囲を超えるか否かを、前記検知された情報を用いて判定する判定手段と、
（ａ）前記撮影領域が前記所定の範囲を超えないと判定された場合には、前記検知された情報を用いて前記撮影領域の追従を行うモードと、（ｂ）前記撮影領域が前記所定の範囲を超えると判定された場合には、前記撮影領域の追従を行わないモードと、（ｃ）前記判定手段による判定を行わずに、または前記判定手段による判定結果によらずに、前記検知された情報を用いて前記撮影領域の追従を行うモードと、を含む複数のモードのいずれかを選択する選択手段と、
を有することを特徴とする眼科撮影装置。
【請求項９】
前記撮影領域が追従可能な範囲を変更する変更手段と、
前記範囲の変更に関する通知を表示手段に表示させる表示制御手段と、
を更に有することを特徴とする請求項１乃至８のいずれか１項に記載の眼科撮影装置。
【請求項１０】
前記被検眼の正面画像を取得する取得手段と、
前記正面画像を表示手段に表示させる表示制御手段と、
前記表示された正面画像上で前記被検眼を撮影する撮影領域を指定する指定手段と、
前記撮影領域を指定可能な範囲を変更する変更手段と、
を有することを特徴とする請求項１乃至８のいずれか１項に記載の眼科撮影装置。
【請求項１１】
前記変更手段は、前記被検眼のフォローアップ撮影を行う際の前記範囲を、前記フォローアップ撮影の他の撮影を行う際の前記範囲よりも広くなるように、前記範囲を変更することを特徴とする請求項９または１０に記載の眼科撮影装置。
【請求項１２】
前記変更手段は、前記被検眼のフォローアップ撮影を行わない場合には前記範囲の制限を行い、前記フォローアップ撮影を行う場合には前記範囲の制限を行わないように、前記範囲を変更することを特徴とする請求項９乃至１１のいずれか１項に記載の眼科撮影装置。
【請求項１３】
前記範囲が制限される範囲は、前記被検眼の撮影が保証される範囲であることを特徴とする請求項１２に記載の眼科撮影装置。
【請求項１４】
前記変更手段は、前記被検眼に対して測定光を走査する走査手段の走査パターンと前記撮影領域とのうち少なくとも１つの情報を用いて、前記範囲を変更することを特徴とする請求項９乃至１３のいずれか１項に記載の眼科撮影装置。
【請求項１５】
前記変更手段は、前記被検眼の固視状態に関する情報と前記撮影領域の大きさに関する情報と前記撮影領域と前記範囲との距離に関する情報との少なくとも１つの情報を用いて、前記範囲を変更することを特徴とする請求項９乃至１４のいずれか１項に記載の眼科撮影装置。
【請求項１６】
前記撮影領域の追従は、前記被検眼に対して測定光を走査する走査手段を前記検知された情報を用いて制御することにより実行されることを特徴とする請求項１乃至１５のいずれか１項に記載の眼科撮影装置。
【請求項１７】
被検眼の移動に関する情報を検知する工程と、
前記被検眼を撮影する撮影領域が所定の範囲を超えるか否かを、前記検知された情報を用いて判定する工程と、
（ａ）前記撮影領域が前記所定の範囲を超えないと判定された場合には、前記検知された情報を用いて前記撮影領域の追従を行い、且つ、前記撮影領域が前記所定の範囲を超えると判定された場合には、前記撮影領域の追従を行わない第１のモードと、（ｂ）前記判定する工程による判定を行わずに、または前記判定手段による判定結果によらずに、前記検知された情報を用いて前記撮影領域の追従を行う第２のモードと、を含む複数のモードのいずれかを選択する工程と、
を有することを特徴とする眼科撮影装置の制御方法。
【請求項１８】
被検眼の移動に関する情報を検知する工程と、
第１のモードと前記第１のモードとは異なる第２のモードとを含む複数のモードのいずれかを選択する工程と、
（ａ）前記第１のモードが選択された場合には、前記被検眼を撮影する撮影領域が第１の範囲を超えるか否かを前記検知された情報を用いて判定し、（ｂ）前記第２のモードが選択された場合には、前記被検眼を撮影する撮影領域が前記第１の範囲よりも広い第２の範囲を超えるか否かを前記検知された情報を用いて判定する工程と、
を有することを特徴とする眼科撮影装置の制御方法。
【請求項１９】
被検眼の移動に関する情報を検知する工程と、
前記被検眼を撮影する撮影領域が所定の範囲を超えるか否かを、前記検知された情報を用いて判定する工程と、
（ａ）前記撮影領域が前記所定の範囲を超えないと判定された場合には、前記検知された情報を用いて前記撮影領域の追従を行うモードと、（ｂ）前記撮影領域が前記所定の範囲を超えると判定された場合には、前記撮影領域の追従を行わないモードと、（ｃ）前記判定する工程による判定を行わずに、または前記判定する工程による判定結果によらずに、前記検知された情報を用いて前記撮影領域の追従を行うモードと、を含む複数のモードのいずれかを選択する工程と、
を有することを特徴とする眼科撮影装置の制御方法。
【請求項２０】
請求項１７乃至１９のいずれか１項に記載の眼科撮影装置の制御方法の各工程をコンピュータに実行させるプログラム。
【手続補正２】
【補正対象書類名】明細書
【補正対象項目名】０００９
【補正方法】変更
【補正の内容】
【０００９】
本発明に係る眼科撮影装置の一つは、
被検眼の移動に関する情報を検知する検知手段と、
前記被検眼を撮影する撮影領域が所定の範囲を超えるか否かを、前記検知された情報を用いて判定する判定手段と、
（ａ）前記撮影領域が前記所定の範囲を超えないと判定された場合には、前記検知された情報を用いて前記撮影領域の追従を行い、且つ、前記撮影領域が前記所定の範囲を超えると判定された場合には、前記撮影領域の追従を行わない第１のモードと、（ｂ）前記判定手段による判定を行わずに、または前記判定手段による判定結果によらずに、前記検知された情報を用いて前記撮影領域の追従を行う第２のモードと、を含む複数のモードのいずれかを選択する選択手段と、を有する。